(57)【要約】【課題】  地域密着型のレシート裏面広告を実現できるようにした多品種少量生産に向いたレジスタ用レシートの作成方法を提供する。【解決手段】    レジスタ用レシートの片面にクーポン情報、宣伝・広告情報の少なくとも何れかからなるお知らせ情報を印刷した裏面広告レシートの作成方法であって、当該作成方法は、ロール紙の全体幅で所定の長さに画定され、かつ複数のお知らせ情報を配置してなる印刷ユニットを作成する印刷ユニット作成工程と、作成した印刷ユニットをロール紙の片面に印刷する印刷工程と、印刷したロール紙を所要のピッチ間隔をおいて、ロールの長さ方向に沿って切断する切断工程とを含み、前記印刷ユニット作成工程では、印刷ユニットを、切断工程で切断する所定のピッチ幅単位の切断ブロックに区画すると共に、各切断ブロック毎に、印刷するお知らせ情報を異ならせていることを特徴とする裏面広告レシートの作成方法とする【選択図】図２
2009151512.tif 000002
【特許請求の範囲】
【請求項１】
レジスタ用レシートの片面にクーポン情報、宣伝・広告情報の少なくとも何れかからなるお知らせ情報を印刷した裏面広告レシートの作成方法であって、当該作成方法は、
ロール紙の全体幅で所定の長さに画定され、かつ複数のお知らせ情報を配置してなる印刷ユニットを作成する印刷ユニット作成工程と、
作成した印刷ユニットをロール紙の片面に印刷する印刷工程と、
印刷したロール紙を所要のピッチ間隔をおいて、ロールの長さ方向に沿って切断する切断工程とを含み、
前記印刷ユニット作成工程では、印刷ユニットを、前記切断工程で切断する所定のピッチ幅単位の切断ブロックに区画すると共に、各切断ブロック毎に、印刷するお知らせ情報を異ならせていることを特徴とする裏面広告レシートの作成方法。
【請求項２】
前記印刷ユニット作成工程では、各切断ブロックを識別する識別情報を、当該切断ブロック毎に配置した印刷ユニットを作成し、
前記切断工程で切断した各切断ブロックを、前記識別情報にもとづいて仕分けする仕分け工程を含む、請求項１に記載の裏面広告レシートの作成方法。
【請求項３】
レジスタ用レシートの片面にクーポン情報、宣伝・広告情報の少なくとも何れかからなるお知らせ情報を印刷した裏面広告レシートであって、
当該裏面広告レシートにおける、お知らせ情報が印刷された裏面には、その配布先を特定する識別情報が設けられていることを特徴とする裏面広告レシート。
【請求項４】
コンピュータサーバとクライアントとからなり、レジスタ用レシートの片面にクーポン情報、宣伝・広告情報の少なくとも何れかからなるお知らせ情報を印刷した裏面広告レシートを利用する広告情報提供システムであって、
当該裏面広告レシートにおける広告が印刷された裏面には、当該裏面広告レシートに印刷されたお知らせ情報の種類を特定する種類特定コードが設けられており、
前記クライアントは当該種類特定コードに基づいて、コンピューターサーバとの情報通信を確立し、
前記コンピュータサーバは、当該クライアントからの種類特定コードに基づくアクセスに呼応して、当該種類特定コード毎に関連付けられたお知らせ情報を抽出し、当該抽出したお知らせ情報をクライアントに送信することを特徴とする、広告情報提供システム。
【発明の詳細な説明】
【技術分野】
【０００１】
本発明は裏面広告レシートと、その作成方法、並びに当該裏面広告レシートを用いた広告システムに関し、特に使用範囲乃至は業種が限定されるなど、小口で作成される裏面広告レシート、その作成方法、および当該裏面広告レシートを使用した広告方法に関する。
【背景技術】
【０００２】
印刷媒体を使用した宣伝・広告や、クーポン券の発行に関しては、従来から新聞の折り込みチラシが一般に利用されている。しかしながら、新聞一日分に挟み込まれる折込チラシの枚数があまりにも多くなると、広告主側にとっては宣伝効果が薄れ、読者側にとっては有用な情報を探し出すのが困難になり、また、ゴミとして廃棄される紙資源も増加する。また新聞の折込チラシにおける紙面の片隅には、特売・キャンペーン等の割引券が印刷されることもあるが、未だその店舗に行くかどうかはっきりと決断していない段階で、折込チラシの片隅に印刷された割引券をわざわざハサミで切り取って予め財布に入れておくことは望み難い。
【０００３】
この様な問題を解決するべく、特許文献１（特開２００２−３２８５４号公報）では、レシートの裏面を利用し、このレシートを広告媒体の一つとして利用することが提案されている。具体的には、宣伝広告を裏面に印刷したレシート、受取証が開示されている。そしてこの文献中には、当該広告媒体として利用されるレシートの製造に関して、「広告代理店や企業、メーカー等広告宣伝依頼を集め、印刷会社でレシート紙（ロール紙）の裏面にあらかじめ印刷してもらう」との記載がある。
【０００４】
また、このような片面に宣伝・広告あるいはお知らせ情報等を印刷した、レジスタ用ロール紙など製造方法は、特許文献２（特開平１１−１８００７８号公報）で提案されている。この特許文献２では、無端帯状印刷プレートを用いて、連続フォームの片面に、宣伝・広告あるいはお知らせ情報を、フォーム天地方向に所要のピッチ間隔で連続的に印刷し、この宣伝・広告あるいはお知らせ情報のユニット印刷面に他の無端帯状印刷プレートを用いて、フォーム天地方向に複数のユニット印刷面おきに、サービス券、旅行券、招待券、利用券、商品券、買物券あるいは金券等のサービスあるいは当り情報を連続的に重ね印刷し、当り情報付き紙ロールを製造する方法が提案されている。
【０００５】
そして、この特許文献２の〔００２５〕欄には、「宣伝・広告用印刷部１３で連続フォーム１２の片面に印刷される宣伝・広告あるいはお知らせ情報ＡＩは、図３および図４に示すように、フォーム幅方向ピッチがＷ、連続フォーム天地方向（長手方向）ピッチがｌ毎にユニット化され、ユニット印刷面３３が形成される。このユニット印刷面３３を一単位として宣伝・広告あるいはお知らせ情報ＡＩが印刷され、全体としてユニット印刷面３３が格子状に連続フォーム１２の全面に亘って構成される」と記載されている。
【特許文献１】特開２００２−３２８５４号公報
【特許文献２】特開平１１−１８００７８号公報
【発明の開示】
【発明が解決しようとする課題】
【０００６】
前述の如く、レジスタで使用されるレシート（以下、レジスタ用レシート）の裏面に宣伝や広告などを表示したり、当たり情報などを印刷したりして懸賞用の抽選券として利用することは周知である。
【０００７】
そして、当該レジスタ用レシートの裏面（乃至は片面）に宣伝・広告や各種の情報を印刷する場合には、上記特許文献２にも開示されているように、連続フォームの天地方向（長手方向）を一定の長さでユニット化したユニット印刷面を形成し、このユニット印刷面を一単位として宣伝・広告あるいはお知らせ情報を印刷するようにしている。そして、連続フォームは、印刷後に幅方向に複数列に分割されることになり、連続フォームの状態では、ユニット印刷面を格子状分割した枠内に、夫々の宣伝・広告あるいはお知らせ情報が印刷されている。
【０００８】
しかしながら、このようなレジスタ用レシートは、通常、印刷会社においてまとめて作成されており、印刷後に分割して形成されたレジスタ用レシートは、纏めて梱包されるのが通例である。このため、仮に各列ごとに異なるデザインで印刷したとすれば、それぞれ異なるデザインで印刷されたレジスタ用レシートが不規則に梱包されることになり、後から分別するのが困難になってしまう。このため、従来のレジスタ用レシートでは、各列ごとのデザインを同じようにしなければならず、所謂少品種大量生産に向くものとなっていた。
【０００９】
しかしながら、特定の地域を商圏とする商店やサービス業が、地域密着型の宣伝・広告を行おうとする場合には、レジスタ用レシートの使用量や広告費用などの関係で、従来の方法で作成したレジスタ用レシートは未だ十分なものとなっていない。
【００１０】
そこで本発明は、第１に、地域密着型のレシート裏面広告を実現できるようにした多品種少量生産に向いたレジスタ用レシートの作成方法を提供する。
【００１１】
また、レジスタ用レシートの裏面を使用した広告では、その紙面（即ち印刷領域）の制約から、おのずと広告の情報量が少なくなってしまうという問題も存在する。
【００１２】
そこで本発明は、第２に、紙面の大きさに基づく広告情報の不足の問題を解決することのできる、レジスタ用レシートを利用した広告システムを提供することを課題とする。
【００１３】
さらに、レシートの裏面に、クーポン券などの消費者が享受できる特典情報が印刷されている場合には、その特典情報が印刷されているレシートが使用された際に何処で発行されたものなのかを特定できれば、広告の効果を容易に確認することができる。
【００１４】
そこで本発明では、第３に、広告の効果を容易に確認して広告戦略の立案に役立てることのできるレジスタ用レシートを提供することを課題とする。
【課題を解決するための手段】
【００１５】
本発明では、上記課題の少なくとも何れかを解決するべく、ロール紙の片面に印刷する為の印刷ユニットを形成する際、切断してレジスタ用レシートを形成する単位ごとに、印刷する情報内容（即ち掲載する広告内容）を異ならせるようにした。
【００１６】
即ち、本発明では、レジスタ用レシートの片面にクーポン情報、宣伝・広告情報の少なくとも何れかからなるお知らせ情報を印刷した裏面広告レシートの作成方法であって、当該作成方法は、ロール紙の全体幅で所定の長さに画定され、かつ複数のお知らせ情報を配置してなる印刷ユニットを作成する印刷ユニット作成工程と、作成した印刷ユニットをロール紙の片面に印刷する印刷工程と、印刷したロール紙を所要のピッチ間隔をおいて、ロールの長さ方向に沿って切断する切断工程とを含み、前記印刷ユニット作成工程では、印刷ユニットを、前記切断工程で切断する所定のピッチ幅単位の切断ブロックに区画すると共に、各切断ブロック毎に、印刷するお知らせ情報を異ならせていることを特徴とする裏面広告レシートの作成方法を提供する。
【００１７】
この様な方法で形成すれば、印刷ユニットを所定のピッチ幅単位の切断ブロックに区画して、各切断ブロック毎に印刷するお知らせ情報を異ならせていることから、切断後に製造されるレジスタ用レシートには、夫々異なるお知らせ情報、即ちクーポン情報、宣伝・広告情報の少なくとも何れかが印刷される事になる。これにより、１つのロール紙を用いて、異なった広告情報などが印刷されたレジスタ用レシートを作成することができる。ここで、１つの切断ブロックは、同じお知らせ情報が記載されていてもよく、また複数のクーポン情報や宣伝・広告情報を組合わせたものでも良い。
【００１８】
また、上記裏面広告レシートの作成方法において、前記印刷ユニット作成工程では、各切断ブロックを識別する識別情報を、当該切断ブロック毎に配置した印刷ユニットを作成し、前記切断工程で切断した各切断ブロックを、前記識別情報にもとづいて仕分けする仕分け工程を含むように構成することができる。
【００１９】
１つのロールシートを切断して、複数のレジスタ用レシートを作成した場合、どのレジスタ用レシートに、どのようなお知らせ情報が記載されているかを特定するのを容易にする為である。特に、本発明に係るレジスタ用レシート（以下、「裏面広告レシート」ともいう）では、それが使用される地域や店舗（乃至は業種）を異ならせるために、各レジスタ用レシートごとに印刷する広告情報などを異ならせている。そして、１つのロール紙から、異なる広告内容が印刷されたレジスタ用レシートを数種類作成するものであるから、作成後に、各レジスタ用レシートを識別できる様に形成しなければならない。よって、この様な識別情報の作成は、本発明に係る作成方法で形成される裏面広告レシートの使用方法乃至は配布方法との関係で、特に効果を発現するものとなっている。なお、本発明に係る裏面広告レシートが使用される地域としては、行政区画に限らず、商圏を基準に定める事ができる。また、ショッピングモール（大型複合施設）や、大型スーパーストア、あるいは商店街を地域とする事もできる。例えば、大型複合施設内に出展している店舗や商店街の店舗で使用できるお知らせ情報（特にクーポンなどの特典情報）を、レシート裏面に印刷して、使用することが考えられる。
【００２０】
かかる識別情報としては、数字や文字などを組合わせた構成にしたり、バーコードやQRコードなどのモザイクで構成したり、あるいは各切断ブロックごとに異ならせた色で表示した帯や線で構成する事ができる。かかる識別情報は、前記切断ブロックの幅方向端部に、ロールの長さ方向に所定の間隔で設ける事が望ましい。
【００２１】
なお、上記印刷ユニットの作成はコンピュータを用いた画像編集装置などを使用することができ、また各切断ブロックを仕分けする仕分け工程は、OCRその他の画像認識装置を用いて識別情報を認知し、その認知情報により仕分けするように構成することもできる。
【００２２】
また、本発明では、上記課題の少なくともいずれかを解決する為に、レジスタ用レシートの片面にクーポン情報、宣伝・広告情報の少なくとも何れかからなるお知らせ情報を印刷した裏面広告レシートであって、当該裏面広告レシートにおける、お知らせ情報が印刷された裏面には、その配布先を特定する識別情報が設けられていることを特徴とする裏面広告レシートを提供する。
【００２３】
かかるレジスタ用レシートでは、識別情報に基づいてその配布先（即ち広告内容毎に特定される配布先）を特定する事ができることから、各レジスタ用レシートを簡易に特定する事ができる。
【００２４】
更に本発明では、前記課題の少なくともいずれかを解決する為に、コンピュータサーバとクライアントとからなり、かつレジスタ用レシートの片面にクーポン情報、宣伝・広告情報の少なくとも何れかからなるお知らせ情報を印刷した裏面広告レシートを利用する広告情報提供システムであって、当該裏面広告レシートにおける広告が印刷された裏面には、当該裏面広告レシートに印刷されたお知らせ情報の種類を特定する種類特定コードが設けられており、前記クライアントは当該種類特定コードに基づいて、コンピューターサーバとの情報通信を確立し、前記コンピュータサーバは、当該クライアントからの種類特定コードに基づくアクセスに呼応して、当該種類特定コード毎に関連付けられたお知らせ情報を抽出し、当該抽出したお知らせ情報をクライアントに送信することを特徴とする、広告情報提供システムを提供する。
【００２５】
かかる広告情報提供システムによれば、裏面広告レシートにあっては、その紙面の都合上、掲載できる情報にも自ずと制約が生じるが、かかる種類特定コードに基づいて、コンピュータサーバに蓄積されている複数の情報にアクセスし、これらの情報を取得する事ができる。お知らせ情報の種類を特定する種類特定コードとしては、例えば掲載した広告の業種（飲食業、美容業、ガソリンスタンドなど）を特定したり、あるいは地域を特定するコードとすることができる。特に、地域を特定する場合には、ショッピングモール（複合商業施設）を１つの地域としたり、あるいは商店街を１つの地域とする事も可能である。
【００２６】
更に、消費者が入手するレシートの紙面が限られており、情報掲載スペースが少ないとの課題を解決する為には、裏面広告レシートにコンピュータサーバへのアクセス情報を記載しておき、このアクセス情報に基づいて、コンピュータサーバとの情報通信を確立することで、当該コンピュータサーバのデータベースに記録されている広告情報（即ち、特定の種類に限定されていない広告情報）を入手できるようにする事も望ましい。また、特定の種類のお知らせ情報にアクセスする為の種類特定コードと、全てのお知らせ情報にアクセスする事のできるアクセス情報とを混在させる事もできる。この場合、全てのお知らせ情報にアクセス可能なアクセス情報が裏面に表示されているレシートは、このコンピュータサーバに蓄積されているお知らせ情報（特に、クーポンなどの特典情報）に使用できるようにする事もできる。
【００２７】
かかる広告システムによれば、紙面の大きさの制約から、提供できる情報量にも制限が生じるといった従前の裏面広告レシートの課題を解決することができる。即ち、QRコードなど、コンピューターサーバへの接続情報を含む識別情報に基づいて、情報通信ネットワークを確立し、コンピューターサーバからの情報配信乃至は情報提供により、より多くの広告情報などを提供できるようにしている。
【発明を実施するための最良の形態】
【００２８】
以下、本発明の実施の形態を添付図面を参照して説明する。
【００２９】
図１は本発明にかかる裏面広告レシート５０の作成方法の一例を示す工程図であり、図２は、この作成方法における印刷ユニット５１の一例を示す平面図であり、図３は有利な抽選方法を実現可能な情報を具備する裏面広告レシート５０を示す略図であり、図４は当該裏面広告レシート５０を用いた広告方法を示す概略図であり、図５はこの広告方法を実施するための広告情報提供システムである。
【００３０】
先ず、図１に基づいて本実施の形態にかかる裏面広告レシート５０の作成方法を説明する。この実施の形態では、全幅約４０３ｍｍ前後のロール紙６０を印刷装置７０の保持部７１で保持し、保持したロール紙６０を順次繰り出すと共に、その一面に図２に示すような、印刷ユニット作成工程（後述する）で形成された印刷ユニット５１を設けた無端帯状印刷プレート７２を連続的に繰り返して印刷する（即ち、印刷工程）。この印刷済みのロール紙６０は、再度ロール状に巻き取り、その後、小さいロール状に巻き取る際に、ロール紙６０の幅方向に所要のピッチ間隔をおいて、ロールの長さ方向に沿って切断し（即ち、切断工程）、これを芯に巻き取って裏面広告レシート５０を作成する。芯に巻き取った小さいロールは、その側面を揃えて巻き取り時における紙のずれを解消することが望ましい。なお、この図１に示すように、印刷済みのロール紙６０を切断した後に、小径の芯に巻き取って裏面広告レシート５０を作成する他、印刷済みのロール紙６０を、当該ロール紙６０と同じ幅に形成された小径の芯に巻き取り、これをロール紙６０の幅方向に所要のピッチ間隔をおいて切断して裏面広告レシート５０を作成する事もできる。
【００３１】
前記印刷工程では、例えば３台のロータリプレスタイプの印刷装置７０を用いることができる。各印刷装置７０は、無端帯状印刷プレート７２をそれぞれ有する。各無端帯状印刷プレート７２は、無端可撓性フィルム状の樹脂製印刷凸版で構成することができ、版胴あるいは本体胴を形成するプレートシリンダ７３とガイドシリンダ７４との間に掛け渡して、同期化して運転される。かかる無端帯状印刷プレート７２は一廻りの長手方向長さが０．５ｍから数十ｍの間で適宜選択することができ、各無端帯状印刷プレート７２には、各印刷プレート７２に異なるインクを塗布するインクロール７５を外接させている。インクロール７５で塗布されたインクは、給紙ロールから供給される連続フォーム（即ちロール紙６０）上に転写（印刷）される。このインク転写の際に、連続フォーム６０は受胴を形成する押圧シリンダ７６によりプレートシリンダ側に押圧され、この押圧により連続フォーム６０にインクが塗布され、連続フォーム６０に印刷されるようになっている。
【００３２】
なお、この実施の形態では、３台の印刷装置７０のそれぞれに使用されるインクの色を、例えば、黄色、赤色、青色のインクのように異ならせることで、連続フォームにフルカラー印刷を施している。しかしながら、必ずしもカラー印刷を施す必要はなく、１台のロータリプレスタイプの印刷装置７０で一色印刷を施したり、あるいは４台の印刷装置７０を用いて、それぞれに使用されるインクの色を、例えば、黒、黄色、赤色、青色のインクのように異ならせることもできる。
【００３３】
また、必ずしもロータリプレスタイプの印刷装置７０を使用する必要はなく、凸版印刷、フレキソ印刷、オフセット印刷、シルク印刷、グラビア印刷（凹版印刷）、オンデマンド印刷など各種の方法を採用することができ、これらの印刷方法を実施するための機械器具を使用することができる。
【００３４】
また切断工程で使用する切断装置は、従前のレジスタ用レシートを製造するために使用されているものをそのまま使用することができる。
【００３５】
特に本実施の形態では、前記印刷工程で使用する印刷用の版となる印刷ユニット５１およびこの印刷ユニット５１を作成する印刷ユニット作成工程に特徴を有する。
【００３６】
即ち、前記図１に示すようにロータリプレスタイプの印刷装置７０を使用する場合、その無端帯状印刷プレート７２は、ロール紙６０の全体幅で所定の長さに画定され、かつ複数のお知らせ情報ｉを配置してなる印刷ユニット５１として作成される。
【００３７】
かかる印刷ユニット５１（版）は、印刷ユニット作成工程において、例えば図２に示すように作成することができる。即ち、この図２に示す態様では、ロール紙６０の幅方向に区画された短冊状の列ごとに、配布地域や配布先の業種などの観点から選択したお知らせ情報ｉを印刷できるような印刷ユニット５１を作成している（印刷ユニット作成工程）。具体的には、ロール紙６０の幅方向に７列に分割しており、説明の便宜上、各列を図面の左側からＡ列５２ａ、Ｂ列５２ｂ、Ｃ列５２ｃ、Ｄ列５２ｄ、Ｅ列５２ｅ、Ｆ列５２ｆ、Ｇ列５２ｇとすると、Ａ列５２ａには特定の組織・グループ内で使用することのできるお知らせ情報ｉを組み合わせ、Ｂ列５２ｂにはＸ地域の特定の業種（例えば、スーパーなど）で使用することのできるお知らせ情報ｉを組み合わせる。Ｃ列５２ｃには、同じＸ地域で配布可能であるが、Ｂ列５２ｂとは異なる業種（例えば、ガソリンスタンドなど）で使用することのできるお知らせ情報ｉを組み合わせ、Ｄ列５２ｄには、Ｙ地域の特定の業種（例えば、スーパーなど）で使用することのできるお知らせ情報ｉを組み合わせる。そして、Ｅ列５２ｅには、求人情報以外のお知らせ情報ｉを組み合わせ、Ｆ列５２ｆには、業種や配布地域に関して何らの制約もない任意のお知らせ情報ｉを組み合わせ、Ｇ列５２ｇには、特定の施設内（例えば空港内）の特定の業種（例えばコンビニエンスストア）で使用可能なお知らせ情報ｉを組み合わせている。
【００３８】
このように各列ごとに異なるお知らせ情報ｉを組み合わせた印刷ユニット５１を作成する印刷ユニット作成工程としているのは、広告などのお知らせ情報ｉを掲載する掲載主（以下、「広告主」とも言う）が、当該レシート５０の配布地域や配布先を任意に選択し得るようにするためであり、より広告効果の高い配布地域を任意に選択できるようにしたものである。
【００３９】
また、各列における枠単位で広告などのお知らせ情報ｉを掲載できるようにしたことにより、小口（配布部数の少ない場合）の広告掲載を可能にしている。この点、従来から提供されている裏面広告レシートの場合には、各列に同じ広告が掲載されていることから、ロール単位でレシートを作成しなければならず、自ずと広告費用乃至は作成費用が高額になっていた。
【００４０】
本発明にかかる作成方法によれば、各列の掲載枠単位で任意のお知らせ情報ｉを掲載できることから、広告主は廉価にレシートの裏面に広告などのお知らせ情報ｉを掲載することができる。しかも、広告主においては、その配布店舗や配布地域などを特定することができ、これにより効率的な広告効果を期待することができる。
【００４１】
さらに各列毎に任意にお知らせ情報ｉを組み合わせることにより、広告主やこのレシートを使用する者（店舗など）の要求をきめ細やかに調整することができる。例えば、広告主における要望としては、使用地域、使用店の業種（ターゲットの種類）、広告枠数（配布部数）、配布期間、消費者への到達率・認知率、広告の間隔（同業他社の広告とのレシート上における距離であり、これは同業他社との比較を避けるためである）、広告効果の長さ（消費者の財布に入ることを考慮し使用されるまでの期間の予想）などが考えられる。一方、使用店舗における要望としては、広告内容の業種、納品されるレシートの数量（経費削減の度合い）、同業者との差別化、集客につながるサービス、ゴミとして駐車場に捨てられることを回避、配布部数の多い使用店舗では自社広告の掲載が可能か否かなどが考えられる。このような広告主や使用店舗における様々な要望を適宜調整できるようになっているのは、本発明において、それぞれの掲載枠を各列毎に異ならせていることに因るものである。
【００４２】
このように各列ごとに異なるお知らせ情報ｉを組み合わせ場合には、切断工程で各列を分離させてレジスタ用レシート５０を形成した際に、何れのレジスタ用レシート５０が、何処に、あるいはいかなる業種で使用されるものなのかを特定するのが困難になる。
【００４３】
そこで本発明では、各列を特定するための識別情報Ｄｉを、お知らせ情報ｉと共に表示するのが望ましい。本実施の形態では、各列を特定するアルファベット文字（Ａ〜Ｇ）と、各お知らせ情報ｉを特定する数字とを組み合わせた識別情報Ｄｉを、各お知らせ情報ｉごとに付与している。その結果、アルファベット文字により、その配布先やお知らせ情報ｉの内容を特定することができ、各レシートを簡易に識別することができる。この点、従前の裏面広告レシートでは、全てに同じお知らせ情報ｉが印刷されていることから、もともと各レシートを区別する必要性はなかった。よって、従来の裏面広告レシートを参照しても、本発明における好ましい実施の形態に示すように、お知らせ情報ｉと共に、各列を特定するための識別情報Ｄｉを設けることすら予想することができないものとなっていた。
【００４４】
本発明にかかる裏面広告レシート５０の作成方法は、このような小口の広告情報掲載希望に対応することができ、かつ効果的に広告情報を配布することができるようになっている。
【００４５】
また本発明においては、レシートならではの特長を有効に活用した情報の掲載方法、特に特典の抽選方法を実施するための情報を伴うレシートを提供する。
【００４６】
即ち、一般にレジスターから発行されるレシートは、表面に消費者の購入した品目一覧、購入合計金額、受領金額、釣銭金額、および販売店情報など、必要な情報を記入した後に切断されるものとなっている。このため、当該レシートの切断位置は、専ら表面に記載する情報量などによって定まるものとなっている。
【００４７】
そこで本実施の形態では、例えば図３に示すように、レシート５０の切断位置に基づいて、当選したか否かを定めることができる当選位置情報Ｂｉを設けることができる。かかる当選位置情報Ｂｉは、レシート５０の切断が当該当選位置情報Ｂｉ上の位置で行われたときに有効になる点で、単に当選情報を間欠的に設けた従来の当選情報付きレシートとは異なる。即ち、当該裏面広告レシート５０は当選位置情報Ｂｉが形成されていることが望ましく、かかる当選位置情報Ｂｉは、レシートの切断位置との関係で当落を識別できる構造乃至は模様として形成されるという、構造上の特徴を具備する。この実施の形態に示す当選位置情報は、各列の幅方向に延伸する帯状に形成されているが、その他にもレシートの長さ方向に延びて、当選位置となる部分を欠いた鎖線上に形成することもできる。
【００４８】
＜実施の形態２＞：ネットワークシステム
次に上記したような裏面広告レシートに掲載された情報に基づいて、多くのお知らせ情報を入手することのできるように構築した広告システムの全体構成を図４に基づいて説明する。この広告システムを実施するためには、前記裏面広告レシート内に、ネットワーク上のアクセス先を特定するアクセス情報が掲載されることが望ましい。このようなアクセス情報は、図示しないが、例えばＵＲＬをコード化したモザイク（例えば、ＱＲコード）などとして具体化することができる。
【００４９】
本実施の形態にかかる広告システム１０では、センター１００に少なくとも１つのクライアント１４０がインターネットやＷＡＮのようなネットワーク１３０を介して接続される。センター１００にはサーバ１１０が配置され、それぞれのクライアント１４０には、サーバ１５０、およびクライアント端末１９０が配置され、サーバ１１０とサーバ１５０が上述したネットワーク１３０で接続される。
【００５０】
サーバ１１０は、記録手段内にデータベース１２０を含み、そこにはクライアントからのアクセス要求に応じて、所要のお知らせ情報を提供することができるように、各種お知らせ情報を体系化して記述したお知らせ情報マスタ１２１が記録される。このようなお知らせ情報としては、例えば、裏面広告レシートに掲載されている情報のみならず、その他にも、レシートの裏面に掲載されていない営業情報、会社案内、製品情報、特典情報などを含むことができる。
【００５１】
またサーバ１５０は、ＬＡＮ１７０によってクライアント端末１９０に接続される。ＬＡＮ１７０は、たとえば、構内ＬＡＮやイントラネットであり、またＷＡＮを含む社内ＬＡＮなどの広域ＬＡＮも含まれる。
【００５２】
サーバ１５０は、前記サーバ１１０に対して、お知らせ情報を送信するか、あるいはネットワークを介してデータベース１２０に情報を記述することのできるコンピュータであり、例えば当該広告システムの運用に加盟する広告代理店などに設置することができる。このサーバ１５０の記録手段内にデータベース１６０を含み、そこには当該広告代理店などが保有する顧客情報やお知らせ情報などが記録されたクライアントマスタ１６１が設けられている。またクライアント端末１９０は、記録手段内にデータベース２００を含み、そこには顧客情報やお知らせ情報などを編集するためのプログラムなどが記録されている。また、クライアント端末１９０には、プリンタ２１０が接続されており、またＬＡＮにはネットワークプリンタ２７０が接続されている。
【００５３】
以上のように構成された広告システムでは、クライアント端末１９０からの指示か、又はサーバ１５０における指示に従い、サーバ内のアプリケーションを動作させて、サーバ１１０のデータベース１２０に記録するお知らせ情報を編集し、当該サーバ１１０に送信する。
【００５４】
次に、実際の使用時における動作を説明する。
【００５５】
クライアント１８０は、レシートが保有する、図示しないアクセス情報（例えばインターネットURLをコード化したＱＲコードなど）を読み取り、このアクセス情報に基づいて、サーバ１１０との情報通信を確立する。そしてレシートが保有する識別情報を入力することで、当該レシートの作成に際して、当該レシートが属する切断ブロックに掲載された全てのお知らせ情報を受信できるようにしている。特にこの実施の形態では各列を特定する為の識別情報を種類特定コードとして使用しているが、識別情報と種類特定コードを異ならせ、それぞれを表示する事もできる。
【００５６】
この実施の形態では、レシートが保有する識別情報から、当該レシートが属する切断ブロックに掲載された情報を特定して、受信できるようにしているが、そのほかの実施の形態としては、レシートに記載され任意の識別コード（即ち、種類特定コード）に基づいて、飲食店関係の情報を取得する、あるいは美容室関係の情報を取得するなど、業種ごとのお知らせ情報を取得するように構成したり、あるいはＡ地域に関するお知らせ情報を取得する、またはＢ地域に関するお知らせ情報を取得するなど、地域ごとのお知らせ情報を取得するように構成することも可能である。このため、サーバ１１０が保有するデータベースに記録されるお知らせ情報は、当該レシートに記録された識別情報乃至は識別コードに従って分類されており、当該識別情報乃至は識別コードに基づいて、データを検索・抽出できるように構築されていることが望ましい。
【００５７】
次に、図５を参照して、本発明に係る広告システム１０のサーバ１１０、１５０、およびクライアント端末１９０として用いられるコンピュータのハードウエア構成の例について説明する。ただし、図５のコンピュータ８００は、広告システム１０で用いられるコンピュータの代表的な構成を例示したにすぎない。
【００５８】
コンピュータ８００は、ＣＰＵ８０１、メモリ８０２、音声出力装置８０３、ネットワークインタフェース８０４、ディスプレイコントローラ８０５、表示装置８０６、入力機器インタフェース８０７、キーボード８０８、マウス８０９、外部記憶装置８１０、記録媒体駆動装置８１１、記録媒体インタフェース８１２、およびこれらの構成要素を互いに接続するバス８１３を含んでいる。なお、サーバ１１０、１５０については、少なくとも、音声出力装置８０３、ディスプレイコントローラ８０５、表示装置８０６、入力機器インタフェース８０７、キーボード８０８、およびマウス８０９は、必須の構成要素ではない。また、クライアント端末１９０、２６０については、少なくとも、音声出力装置８０３は、必須の構成要素ではない。
【００５９】
ＣＰＵ８０１は、コンピュータ８００の各構成要素の動作を制御し、ＯＳの制御下で、各プログラムの実行をコントロールし、本発明に係る広告システム１０の各構成要素（サーバ、クライアント端末）の動作を制御する。メモリ８０２は通常、不揮発性メモリであるＲＯＭ（Read Only Memory）、および揮発性メモリであるＲＡＭ（Random Access Memory）から構成される。ＲＯＭには、コンピュータ８００の起動時に実行されるプログラム等が格納される。ＲＡＭには、ＣＰＵ８０１で実行され、本実施の形態にかかるサーバ、クライアント端末の各機能を実現するためのプログラムや、それらのプログラムが実行中に使用するデータが格納される。
【００６０】
音声出力装置８０３は、たとえば、スピーカ等の、音声を出力する機器であり、ネットワークインタフェース８０４は、ネットワーク８２０に接続するためのインタフェースである。ネットワーク８２０は、図４に示したネットワーク１３０に対応する。
【００６１】
ディスプレイコントローラ８０５は、ＣＰＵ８０１が発行する描画命令を実際に処理するための専用コントローラである。ディスプレイコントローラ８０５で処理された描画データは、一旦グラフィックメモリに書き込まれ、その後、表示装置８０６に出力される。表示装置８０６は、たとえば、ＬＣＤやＣＲＴで構成されるディスプレイ装置であり、帳票が電子形式で提供される場合に、これを表示するのに使用される。
【００６２】
入力機器インタフェース８０７は、キーボード８０８やマウス８０９から入力された信号を受信して、その信号パターンに応じて所定の指令をＣＰＵ８０１に送信する。キーボード８０８やマウス８０９は、クライアント端末において各種アプリケーションの操作等をする場合に必要となる。
【００６３】
外部記憶装置８１０は、たとえば、ハードディスクドライブ（ＨＤＤ）のような記憶装置であり、この装置内には上述したプログラムやデータが記録され、実行時に、必要に応じてそこからメモリ８０２のＲＡＭにロードされる。サーバ１１０で印刷情報を記録するデータベース１２０や、サーバ１５０のデータベース１６０、クライアント端末のデータベース１９０等が格納される記憶手段が、この外部記憶装置８１０に相当する。
【００６４】
記録媒体駆動装置８１１は、ＣＤ（Compact Disc）、ＭＯ（Magneto-Optical Disc）、ＤＶＤ（Digital Versatile Disc）などの可搬型ディスクタイプの記録媒体８３０の記録面にアクセスして、そこに記録されているデータを読み取る装置である。記録媒体８３０には、本発明に係る広告システム１０を実現するためのプログラムも記録することが可能である。記録媒体８３０に記録されているデータは、記録媒体駆動装置８１１を介して外部記憶装置８１０に格納され、プログラムであれば、実行時にメモリ８０２のＲＡＭにロードされる。
【００６５】
また、本発明に係る広告システム１０を実現するためのプログラムの他の流通形態としては、ネットワーク上の所定のサーバから、ネットワーク８２０およびネットワークインタフェース８０４を介して外部記憶装置８１０に格納され、あるいは直接実行されるということも考えられる。このようなルートで格納されたプログラムは、上記と同様に、実行時にメモリ８０２のＲＡＭにロードされ、実行される。
【００６６】
記録媒体インタフェース８１２は、ＵＳＢメモリ、ＳＤメモリ、メモリスティックといった、半導体メモリ（たとえば、フラッシュメモリ）を備える可搬型メモリタイプの記録媒体８４０と接続端子等で接続し、そこに記録されているデータを読み取る装置である。記録媒体８４０には、ディスクタイプの記録媒体８３０と同様に、本発明に係る広告システム１０を実現するためのプログラムを記録することが可能である。
【図面の簡単な説明】
【００６７】
【図１】本発明にかかる裏面広告レシートの作成方法の一例を示す工程図
【図２】図１の作成方法における印刷ユニットの一例を示す平面図
【図３】有利な抽選方法を実現可能な情報を具備する裏面広告レシートを示す略図
【図４】裏面広告レシートを用いた広告方法を示す概略図
【図５】広告方法を実施するための機器構成を示す概略図
【符号の説明】
【００６８】
１０ 広告システム
５０ 裏面広告レシート（レジスタ用レシート）
５１ 印刷ユニット
６０ ロール紙（連続フォーム）
７０ 印刷装置
７２ 無端帯状印刷プレート
１１０ サーバ
１３０ ネットワーク
１４０ クライアント
１９０ クライアント端末
Ｄｉ 識別情報
Ｂｉ 当選位置情報
【図１】
2009151512.tif 000003
【図２】
2009151512.tif 000004
【図３】
2009151512.tif 000005
【図４】
2009151512.tif 000006
【図５】
2009151512.tif 000007